(57)【要約】      （修正有）【課題】２以上の収容物を混合することによる発熱、吸熱等の効果・効用の持続時間を長くすることのできる複室容器を提供する。【解決手段】複室容器１の複数の閉袋部１１，１２に収容物４１，４２を互いに分離して収容する。連接部２０によって、隣接する閉袋部１１，１２どうしを連接するとともに、閉袋部１１，１２の内室１１ｃ，１２ｃどうしを隔てる。一方の閉袋部１２への加圧によって、連接部２０の易剥離部２２が剥離され内室１１ｃ，１２ｃどうしが連通可能である。最終混合用の閉袋部１１の１の外側面１１ａには凸部３０が突出するように形成されている。【選択図】図３
2016182967.tif 000002
【特許請求の範囲】
【請求項１】
２以上の収容物を互いに分離して、かつ混合可能に収容する複室容器であって、
複数の閉袋部と、
隣接する閉袋部どうしを連接する連接部と、
を備え、前記連接部が、前記隣接する閉袋部の内室どうしを隔てるとともに、一方の閉袋部への加圧によって剥離して前記内室どうしを連通可能になっており、
最終混合用の閉袋部の１の外側面には凸部が突出するように形成されていることを特徴とする複室容器。
【請求項２】
前記凸部が、前記外側面と交差する筒状の周壁と、前記周壁の突端側を閉じる天壁とを一体に有し、これら周壁及び天壁によって前記凸部の内部に凸室部が形成され、前記凸室部が、前記最終混合用の閉袋部の内室に一体に連なっていることを特徴とする請求項１に記載の複室容器。
【発明の詳細な説明】
【技術分野】
【０００１】
本発明は、２以上の収容物を互いに分離して、かつ混合可能に収容する複室容器に関し、特に、混合によって発熱したり吸熱したりする複数種の収容物を分離して収容するのに好適な複室容器に関する。
【背景技術】
【０００２】
例えば、特許文献１、２等に開示されている通り、この種の複室容器は、２枚の樹脂フィルムを重ね合わせ、周縁部どうしを全周にわたってヒートシールして封止するとともに、長手方向の中間部どうしをヒートシールして封止することによって構成されている。前記中間の封止部を挟んで両側に、２つの閉袋部が密封形成されている。これら閉袋部の内室には、互いに異なる種類の収容物が収容されている。前記中間の封止部は、２つの閉袋部を連接する連接部を構成するとともに、これら閉袋部の内室どうしを隔てている。ひいては、２種の収容物が互いに分離して収容されている。
【０００３】
一方の閉袋部に圧力を加えると、前記中間の封止部（連接部）の一部が剥離して連通路が形成される。この連通路を介して２つの閉袋部の内室どうしが連通する。これによって、一方の閉袋部の収容物が、連通路を通って他方の閉袋部の内室に入り込む。この結果、他方の閉袋部の内室において、２つの収容物が混合される。
【先行技術文献】
【特許文献】
【０００４】
【特許文献１】特許第４１６７０１９号公報
【特許文献２】特開平０２−０５７５８４号公報
【発明の概要】
【発明が解決しようとする課題】
【０００５】
この種の複室容器は、例えば、混合によって発熱又は吸熱するような複数種の収容物を分離して収容するのに適用可能である。複室容器の使用時には、前述した混合操作後、皮膚等の被伝熱体（対象体）に宛がう。これによって、被伝熱体を温めたり冷やしたりすることができる。
このような複室容器においては、発熱、吸熱等の効果・効用をなるべく長時間持続させたい、との要望がある。
本発明は、かかる事情に鑑み、２以上の収容物を混合することによる発熱、吸熱等の効果・効用の持続時間を長くすることのできる複室容器を提供することを目的とする。
【課題を解決するための手段】
【０００６】
前記問題点を解決するために、本発明は、２以上の収容物を互いに分離して、かつ混合可能に収容する複室容器であって、
複数の閉袋部と、
隣接する閉袋部どうしを連接する連接部と、
を備え、前記連接部が、前記隣接する閉袋部の内室どうしを隔てるとともに、一方の閉袋部への加圧によって剥離して前記内室どうしを連通可能になっており、
最終混合用の閉袋部の１の外側面には凸部が突出するように形成されていることを特徴とする。
【０００７】
この複室容器によれば、２以上の収容物が最終混合用の閉袋部の内室において混合される。この複室容器を皮膚等の対象体に宛がうことで、前記対象体を温めたり冷やしたりする等、所望の効果・効用を発現することができる。
しかも、最終混合用の閉袋部の凸部を前記対象体のうち必要部位に局所的に接触させる一方、複室容器の前記凸部以外の部分（最終混合用の閉袋部の外側面など）については、なるべく前記対象体に接触しないようにできる。これによって、前記対象体のうち前記必要部位を確実に温めたり冷やしたりできる一方、前記対象体のうち必要度が低い部位又は必要でない部位をも無駄に温めたり冷やしたりするのを防止又は抑制できる。この結果、発熱、吸熱等の効果・効用の持続時間を長くすることができる。
【０００８】
前記凸部が、前記外側面と交差する筒状の周壁と、前記周壁の突端側を閉じる天壁とを一体に有し、これら周壁及び天壁によって前記凸部の内部に凸室部が形成され、前記凸室部が、前記最終混合用の閉袋部の内室に一体に連なっていることが好ましい。
これによって、混合収容物が前記凸部の内部の凸室部に入り込むことで、対象体の必要部位を確実に温めたり冷やしたりすることができる。また、前記周壁によって凸部にコシを持たせることができ、凸部を対象体の必要部位に宛がったときに、前記凸部以外の複室容器部分までもが対象体に接触するのを確実に制限できる。この結果、効果・効用の持続時間を確実に長くできる。
【発明の効果】
【０００９】
本発明によれば、複室容器の凸部を対象体に局所的に当てることができ、２以上の収容物を混合することによる発熱、吸熱等の効果・効用の持続時間を長くすることができる。
【図面の簡単な説明】
【００１０】
【図１】図１は、本発明の第１実施形態に係る複室容器を、複数収容物の混合使用前の状態で示す平面図である。
【図２】図２は、図１のＩＩ−ＩＩ線に沿う、前記複室容器の側面図である。
【図３】図３は、図１のＩＩＩ−ＩＩＩ線に沿う、前記複室容器の側面断面図である。
【図４】図４は、前記複室容器を、複数収容物を混合した状態で示す側面断面図である。
【図５】図５は、前記複室容器を対象体に宛てた使用状態で示す側面断面図である。
【図６】図６は、本発明の第２実施形態に係る複室容器の平面図である。
【図７】図７は、本発明の第３実施形態に係る複室容器の平面図である。
【発明を実施するための形態】
【００１１】
以下、本発明の実施形態を図面にしたがって説明する。
［第１実施形態］
図１〜図５は、本発明の第１実施形態を示したものである。図１に示すように、複室容器１は、平面視で例えば長方形状に形成されている。図２及び図３に示すように、複室容器１は、２枚の軟性樹脂製のフィルム１ａ，１ｂによって構成されている。フィルム１ａ，１ｂの材質は、例えばポリプロピレン（ＰＰ）であるが、これに限定されるものではなく、ポリエチレン（ＰＥ）等の他の樹脂であってもよい。器部フィルム１ａには、所定の形状が付与されている。蓋部フィルム１ｂは、平坦になっている。
なお、図において、フィルム１ａ，１ｂの厚みは誇張されている。
【００１２】
図１及び図３に示すように、２枚のフィルム１ａ，１ｂが互いに重ね合わされるとともに、これらフィルム１ａ，１ｂの周縁部どうしが全周にわたってヒートシールされることで、周縁封止部１ｅが形成されている。かつ、フィルム１ａ，１ｂの長手方向の中間部どうしがヒートシールされることで、中間封止部ないしは連接部２０が形成されている。連接部２０を挟んで両側に閉袋部１１，１２が形成されている。言い換えると、複室容器１は、２つ（複数）の閉袋部１１，１２と、これら閉袋部１１，１２間に設けられた連接部２０とを備えている。連接部２０によって、隣接する閉袋部１１，１２どうしが連接されている。
【００１３】
図３に示すように、最終混合用の第１閉袋部１１の内部には、内室１１ｃが形成されている。第２閉袋部１２の内部には内室１２ｃが形成されている。連接部２０によって、内室１１ｃ，１２ｃどうしが隔てられている。
【００１４】
図１に示すように、連接部２０は、平面視でＶ字形状になっている。連接部２０の斜めをなす両側部は、幅広の難剥離部２１，２１となっている。連接部２０のＶ字に屈曲した中央部は、幅小の易剥離部２２となっている。例えば、難剥離部２１の幅は７ｍｍ程度であり、易剥離部２２の幅は３ｍｍ程度であるが、これに限られるものではない。２つの難剥離部２１，２１の互いに反対側の端部が、それぞれ周縁封止部１ｅと一体に連なっている。易剥離部２２によって、２つの難剥離部２１，２１の互いに接近した端部どうしが連ねられている。
【００１５】
連接部２０によって、閉袋部１１，１２どうしの対向縁が構成されている。第１閉袋部１１における第２閉袋部１２との対向縁は、平面視でＶ字状に凹んでいる。第２閉袋部１２における第１閉袋部１１との対向縁の中央部には、突出縁部１２ｄが形成されている。この突出縁部１２ｄが、平面視で第１閉袋部１１側へ向かって突出して、第１閉袋部１１の凹んだ部分に入り込んでいる。突出縁部１２ｄと第１閉袋部１１との間に、前記易剥離部２２が形成されている。
【００１６】
複室容器１には、異種の収容物４１，４２が互いに分離して収容されている。第１の収容物４１は、第１閉袋部１１の内室１１ｃに収容されている。第２の収容物４２は、第２閉袋部１２の内室１２ｃに収容されている。収容物４１，４２は、互いに混合されることによって吸熱反応を起こす２種（複数種）の物質で構成されている。第１収容物４１は、例えば硝酸アンモニウム等の無機塩の粉体であるが、これに限られるものではない。第２収容物４２は、例えば水や水溶液等の液体であるが、これに限られるものではない。
【００１７】
第１閉袋部１１における器部フィルム１ａ側の外側面１１ａには、凸部３０が形成されている。好ましくは、凸部３０は、外側面１１ａのほぼ中央部に配置されている。凸部３０は、周壁３１と、天壁３２を有している。周壁３１は、円筒状になっている。この周壁３１が、外側面１１ａと交差するようにして、外方（蓋部フィルム１ｂ側とは反対側）へ突出している。天壁３２によって、周壁３１の上端部（突端部）が閉じられている。
【００１８】
凸部３０の内部には、周壁３１及び天壁３２によって凸室部３０ｃが形成されている。凸室部３０ｃは、内室１１ｃと一体に連なっている。要するに、内室１１ｃの一部分が、凸部３０の内部に入り込んで、凸室部３０ｃとなっている。
【００１９】
複室容器１は、例えば次のようにして製造される。
複室容器１のフィルム１ａ，１ｂとなるべき２つの連続帯状の樹脂フィルムを用意する。
一方の連続帯状の樹脂フィルムに器部フィルム１ａを真空成形する。このとき、第１閉袋部１１の外側面１１ａとなるべき部分に凸部３０を形成する。
次に、第１収容物４１を内室１１ｃに収容するとともに、第２収容物４２を内室１２ｃに収容する。
次に、他方の連続帯状の樹脂フィルムを被せて、周縁部及び中間部をヒートシールすることで、周縁封止部１ｅ及び連接部２０を形成すると同時に、収容物４１，４２を密封する。
その後、連続帯状の樹脂フィルムをカットすることで、複室容器１を切り出す。
【００２０】
複室容器１は、例えば次のようにして使用される。
図４の矢印にて示すように、複室容器１の使用に際して、第２閉袋部１２を指等で押し潰すことで、第２閉袋部１２に圧力を加える。この圧力によって、突出縁部１２ｄが第１閉袋部１１側へ伸長して、連接部２０の易剥離部２２が剥離される。これによって、図１の二点鎖線及び図４に示すように、連通路２２ｃが形成され、この連通路２２ｃを介して、隣接する内室１１ｃ，１２ｃどうしが連通する。両側の難剥離部２１，２１は、剥離されることなくヒートシール状態を維持する。
そして、第２収容物４２が、連通路２２ｃを通って内室１１ｃに入り込む。これによって、図４に示すように、最終混合用の閉袋部１１の内室１１ｃにおいて、収容物４１，４２どうしが混ざり合い、混合収容物４０が形成される。この混合収容物４０が、内室１１ｃから凸室部３０ｃに亘って充填される。混合収容物４０は、吸熱反応を起こす。
【００２１】
図５に示すように、複室容器１の使用対象体２は、例えば人の皮膚であり、その中でも注射をする直前等の冷却が必要な部位２ａである。
複室容器１は、連接部２０の辺りで折り曲げてコンパクトにするとよい。その場合、器部フィルム１ａが外側になるようにする。この複室容器１を対象体２に宛がう。詳しくは、凸部３０の天壁３２を必要部位２ａに当てる。そして、貼着テープ３によって複室容器１を対象体２に固定する。
【００２２】
この複室容器１によれば、混合収容物４０の吸熱反応によって対象体２を冷ますことができる。しかも、凸部３０を必要部位２ａに当てる一方で、複室容器１の凸部３０以外の部分（外側面１１ａ等）については、なるべく対象体２に接触しないようにできる。さらに、周壁３１によって凸部３０にコシを持たせることができ、複室容器１の凸部３０以外の部分が対象体２に接触するのを制限できる。または、凸部３０のほうが凸部３０以外の部分よりも対象体２に確実に密着するようにできる。これによって、対象体２のうち、冷却が必要な部位２ａを確実に冷ますことができる一方、対象体２のうち冷却の必要度が低い部位又は必要でない部位をも無駄に冷やすのを防止又は抑制できる。この結果、無駄な放熱を防止又は抑制でき、混合収容物４０の吸熱性能を長持ちさせることができ、必要部位２ａを長時間にわたって冷やすことができる。
【００２３】
次に、本発明の他の実施形態を説明する。以下の実施形態において既述の形態と重複する構成に関しては、図面に同一符号を付して説明を省略する。
［第２実施形態］
複室容器１の閉袋部等の形状は、種々に改変できる。例えば、図６に示す第２実施形態では、第２閉袋部１２の突出縁部１２ｄの突出量が、第１実施形態（図１）よりも小さい。また、難剥離部２１の幅が、第１実施形態（図１）よりも小さい。
【００２４】
［第３実施形態］
図６に示すように、第３実施形態の複室容器１Ｂは、３つの閉袋部１１，１２，１３を備えている。これら閉袋部１１，１２，１３が、複室容器１Ｂの長手方向に一列に並べられている。長手方向の一端（左端）の最終混合用の第１閉袋部１１と、中央の第２閉袋部１２とが、第１実施形態と同様の連接部２０にて連接されている。また、中央の第２閉袋部１２と、長手方向の他端（右端）の第３閉袋部１３とが、連接部２３にて連接されている。連接部２３は、連接部２０と同様に、両側の難剥離部２４，２４と、中央の易剥離部２５を有して、平面視でＶ字形状になっている。連接部２３によって、第２閉袋部１２の内室１２ｃと第３閉袋部１３の内室１３ｃとが隔てられている。
【００２５】
連接部２３によって、閉袋部１２，１３どうしの対向縁が構成されている。第２閉袋部１２における第３閉袋部１３との対向縁は、平面視でＶ字状に凹んでいる。第３閉袋部１３における第２閉袋部１２との対向縁の中央部には、突出縁部１３ｄが形成されている。この突出縁部１３ｄが、第２閉袋部１２の凹んだ部分に向かって平面視で突出している。突出縁部１３ｄと第２閉袋部１２との間に、前記易剥離部２５が形成されている。
【００２６】
複室容器１Ｂの３つの内室１１ｃ，１２ｃ，１３ｃには、互いに異なる種類の収容物４１，４２，４３が収容されている。
【００２７】
複室容器１Ｂによれば、第３閉袋部１３に圧力を加えることで、突出縁部１３ｄを伸長させて易剥離部２５を剥離できる。これによって、連通路２５ｃを形成できる。この連通路２５ｃを介して、内室１２ｃ，１３ｃどうしが連通し、第３収容物４３が連通路２５ｃを通って内室１２ｃに入り、第２収容物４２と混合される。
続いて、第２閉袋部１２に圧力を加えることで、突出縁部１２ｄを伸長させて易剥離部２２を剥離して連通路２２ｃを形成する。この連通路２２ｃを介して、内室１１ｃ，１２ｃどうしが連通し、第２収容物４２と第３収容物４３の混合物が連通路２２ｃを通って最終混合用の内室１１ｃに入り、第１収容物４１と混合される。これによって、３つの収容物４１〜４３を混合した混合収容物４０Ｂを形成できる。
【００２８】
第１閉袋部１１には凸部３０が形成されており、この凸部３０を局所的に必要部位２ａに宛がうことで、混合収容物４０Ｂの効果・効用を長持ちさせることができる点は、第１実施形態と同様である。
【００２９】
本発明は、前記実施形態に限られず、その趣旨を逸脱しない範囲内で種々の改変をなすことができる。
例えば、複室容器１，１Ｂの複数の収容物は、混合によって吸熱する冷却剤に限られず、発熱する温熱カイロ等の温熱剤であってもよい。或いは、複室容器１，１Ｂの複数の収容物は、混合によって薬効や栄養補充等の効用を生じる経皮薬や経皮栄養剤等であってもよい。
閉袋部の数は、２つ又は３つに限られず、４つ以上であってもよい。
最終混合用の閉袋部１１の外側面１１ａに凸部３０が２つ以上設けられていてもよい。
凸部３０が、複室容器１，１Ｂの他の部分よりも良伝熱性素材にて構成されていてもよい。
凸部３０の周壁３１は、筒状であればよく、円筒状に限られず、多角筒状であってもよい。
対象体２は、人の皮膚に限られず、機械要素や電気要素等であってもよい。
【産業上の利用可能性】
【００３０】
本発明は、例えば混合によって発熱又は吸熱する複数物質を分離して収容する容器に適用できる。
【符号の説明】
【００３１】
１，１Ｂ    複室容器
１１        第１閉袋部（最終混合用の閉袋部）
１１ａ      １の外側面
１１ｃ      内室
１２        第２閉袋部
１２ｃ      内室
１３        第３閉袋部
１３ｃ      内室
２０        連接部
２２ｃ      連通路
２３        連接部
２５ｃ      連通路
３０        凸部
３０ｃ      凸室部
３１        周壁
３２        天壁
４１，４２，４３  収容物
【図１】
2016182967.tif 000003
【図２】
2016182967.tif 000004
【図３】
2016182967.tif 000005
【図４】
2016182967.tif 000006
【図５】
2016182967.tif 000007
【図６】
2016182967.tif 000008
【図７】
2016182967.tif 000009